【手続補正書】
【提出日】平成29年2月3日(2017.2.3)
【手続補正１】
【補正対象書類名】特許請求の範囲
【補正対象項目名】全文
【補正方法】変更
【補正の内容】
【特許請求の範囲】
【請求項１】
現像剤を収容する枠体と、
前記枠体に回転可能に支持される回転体と、
前記回転体の表面に接触するブレードと、
前記回転体の回転軸方向に沿って前記回転体の表面と接触するように前記枠体に取り付けられるシート部材と、
前記枠体と、前記回転軸方向の端部において前記枠体に固定され、前記枠体と前記回転体との間で圧縮される端部シール部材と、
を備える現像剤収容器において、
前記回転体の軸線方向と交差する方向に沿って前記端部シール部材と並んで配置されるように前記枠体と一体的に成形されたシール部を備え、
前記シール部は、前記枠体、前記端部シール部材、そして前記シート部材との間で圧縮されて変形していることを特徴とする現像剤収容器。
【請求項２】
前記シール部は、前記回転体と前記シート部材が取り付けられる前においては、前記枠体から前記シート部材と当接する部分へ向けて次第に細くなる形状を有することを特徴とする請求項１に記載の現像剤収容器。
【請求項３】
前記シール部は、前記枠体と前記端部シール部材との間で圧縮された部分を有することを特徴とする請求項１又は２に記載の現像剤収容器。
【請求項４】
前記枠体は、前記回転軸方向に延びる凹部を有し、前記凹部に射出された樹脂材料で形成された樹脂成形部を有することを特徴とする請求項１乃至３のいずれか１項に記載の現像剤収容器。
【請求項５】
前記シール部は、樹脂成形部の一部であって、
前記シート部材は、前記樹脂成形部に溶着され、前記枠体に対して固定されることを特徴とする請求項４に記載の現像剤収容器。
【請求項６】
前記樹脂材料は熱可塑性樹脂であることを特徴とする請求項４又は５に記載の現像剤収容器。
【請求項７】
前記回転体は像担持体であり、
前記枠体は、前記像担持体から除去された現像剤を収容することを特徴とする請求項１乃至６のいずれか１項に記載の現像剤収容器。
【請求項８】
前記回転体は像担持体に形成された潜像を現像するために現像剤を担持可能な現像剤担持体であり、
前記枠体は、前記潜像を現像するために用いられる現像剤を収容することを特徴とする請求項１乃至６のいずれか１項に記載の現像剤収容器。
【請求項９】
記録材に画像を形成する画像形成装置の装置本体に着脱可能であって、
現像剤を収容する枠体と、
前記枠体に回転可能に支持される回転体と、
前記回転体の表面に接触するブレードと、
前記回転体の回転軸方向に沿って前記回転体の表面と接触するように前記枠体に取り付けられるシート部材と、
前記回転軸方向の端部において前記枠体に固定され、前記枠体と前記回転体との間で圧縮される端部シール部材と、
を備える現像剤収容器を有し、
前記回転体の軸線方向と交差する方向に沿って前記端部シール部材と並んで配置されるように前記枠体と一体的に成形されたシール部を備え、 
前記シール部は、前記枠体、前記端部シール部材、そして前記シート部材との間で圧縮されて変形していることを特徴とするカートリッジ。
【請求項１０】
前記シール部は、前記回転体と前記シートが取り付けられる前において、前記枠体から前記シート部材と当接する部分へ向けて次第に細くなる形状を有することを特徴とする請求項９に記載のカートリッジ。
【請求項１１】
前記シール部は、前記枠体と前記端部シール部材との間で圧縮された部分を有することを特徴とする請求項９又は１０に記載のカートリッジ。
【請求項１２】
前記枠体は、前記回転軸方向に延びる凹部を有し、前記凹部に射出された樹脂材料で形成された前記樹脂成形部を有することを特徴とする請求項９乃至１１のいずれか１項に記載のカートリッジ。
【請求項１３】
前記シール部は、樹脂成形部の一部であって、
前記シート部材は、前記樹脂成形部に溶着され、前記枠体に対して固定されることを特徴とする請求項１２に記載のカートリッジ。
【請求項１４】
前記樹脂材料は熱可塑性樹脂であることを特徴とする請求項１２又は１３に記載のカートリッジ。
【請求項１５】
記録材に画像を形成する画像形成装置であって、
現像剤を収容する枠体と、
前記枠体に回転可能に支持される回転体と、
前記回転体の表面に接触するブレードと、
前記回転体の回転軸方向に沿って前記回転体の表面と接触するように前記枠体に取り付けられるシート部材と、
前記回転軸方向の端部において前記枠体に固定され、前記枠体と前記回転体との間で圧縮される端部シール部材と、
を備える現像剤収容器を有し、
前記回転体の軸線方向と交差する方向に沿って前記端部シール部材と並んで配置されるように前記枠体と一体的に成形されたシール部を備え、
前記シール部は、前記枠体、前記端部シール部材、そして前記シート部材との間で圧縮されて変形していることを特徴とする画像形成装置。
【請求項１６】
前記シール部は、前記回転体と前記シート部材が取り付けられる前においては、前記枠体から前記シート部材と当接する部分へ向けて次第に細くなる形状を有することを特徴とする請求項１５に記載の画像形成装置。
【請求項１７】
前記シール部は、前記枠体と前記端部シール部材との間で圧縮された部分を有することを特徴とする請求項１５又は１６に記載の画像形成装置。
【請求項１８】
前記枠体は、前記回転軸方向に延びる凹部を有し、前記凹部に射出された樹脂材料で形成された前記樹脂成形部を有することを特徴とする請求項１５乃至１７のいずれか１項に記載の画像形成装置。
【請求項１９】
前記シール部は、樹脂成形部の一部であって、
前記シート部材は、前記樹脂成形部に溶着され、前記枠体に対して固定されることを特徴とする請求項１８に記載の画像形成装置。
【請求項２０】
前記樹脂材料は熱可塑性樹脂であることを特徴とする請求項１８又は１９のいずれか１項に記載の画像形成装置。
【手続補正２】
【補正対象書類名】明細書
【補正対象項目名】０００６
【補正方法】変更
【補正の内容】
【０００６】
上記目的を達成するため、本発明に係る現像材収容器は、
現像剤を収容する枠体と、
前記枠体に回転可能に支持される回転体と、
前記回転体の表面に接触するブレードと、
前記回転体の回転軸方向に沿って前記回転体の表面と接触するように前記枠体に取り付けられるシート部材と、
前記枠体と、前記回転軸方向の端部において前記枠体に固定され、前記枠体と前記回転体との間で圧縮される端部シール部材と、
を備える現像剤収容器において、
前記回転体の軸線方向と交差する方向に沿って前記端部シール部材と並んで配置されるように前記枠体と一体的に成形されたシール部を備え、
前記シール部は、前記枠体、前記端部シール部材、そして前記シート部材との間で圧縮されて変形していることを特徴とする。 
【手続補正３】
【補正対象書類名】明細書
【補正対象項目名】０００７
【補正方法】変更
【補正の内容】
【０００７】
また、本発明に係るカートリッジは、記録材に画像を形成する画像形成装置の装置本体に着脱可能であって、現像剤を収容する枠体と、前記枠体に回転可能に支持される回転体
と、前記回転体の表面に接触するブレードと、前記回転体の回転軸方向に沿って前記回転体の表面と接触するように前記枠体に取り付けられるシート部材と、前記回転軸方向の端部において前記枠体に固定され、前記枠体と前記回転体との間で圧縮される端部シール部材と、を備える現像剤収容器を有し、前記回転体の軸線方向と交差する方向に沿って前記端部シール部材と並んで配置されるように前記枠体と一体的に成形されたシール部を備え、 前記シール部は、前記枠体、前記端部シール部材、そして前記シート部材との間で圧縮されて変形していることを特徴とする。 
【手続補正４】
【補正対象書類名】明細書
【補正対象項目名】０００８
【補正方法】変更
【補正の内容】
【０００８】
また、本発明に係る画像形成装置は、記録材に画像を形成する画像形成装置であって、現像剤を収容する枠体と、前記枠体に回転可能に支持される回転体と、前記回転体の表面に接触するブレードと、前記回転体の回転軸方向に沿って前記回転体の表面と接触するように前記枠体に取り付けられるシート部材と、前記回転軸方向の端部において前記枠体に固定され、前記枠体と前記回転体との間で圧縮される端部シール部材と、を備える現像剤収容器を有し、前記回転体の軸線方向と交差する方向に沿って前記端部シール部材と並んで配置されるように前記枠体と一体的に成形されたシール部を備え、前記シール部は、前記枠体、前記端部シール部材、そして前記シート部材との間で圧縮されて変形していることを特徴とする。